(57)【要約】【課題】図柄の停止表示前の補正を不要とするとともに、演出に応じた自由なはずれ図柄の設定を行うことができるパチンコ遊技機を提供する。【解決手段】複数の図柄から成る複数の図柄列をそれぞれ変動表示及び停止表示させ得る図柄表示手段を備えたパチンコ遊技機において、図柄毎に対応するカウンタ値を有したカウンタと、抽選ではずれた際、図柄列毎において停止表示させるべき図柄を決定するための左図柄指定テーブル、中図柄演算テーブル及び右図柄演算テーブルから成る複数の停止図柄テーブルとを有し、当該左図柄指定テーブルはカウンタのカウンタ値に対応した図柄を直接指定する値が配置され、その他のテーブルは、指定された図柄列の値からの演算値が配置されたものである。【選択図】  図６
2005000264.tif 000002
【特許請求の範囲】
【請求項１】
複数の図柄から成る複数の図柄列をそれぞれ変動表示及び停止表示させ得る図柄表示手段を備え、始動条件の成立時に大当たり状態の抽選を行うとともに、その抽選結果に基づいた図柄を前記図柄表示手段で停止表示させるパチンコ遊技機において、
図柄毎に対応するカウンタ値を有した図柄選択カウンタと、
前記抽選ではずれた際、図柄列毎において停止表示させるべき図柄を決定するための複数の停止図柄テーブルと、を有し、当該停止図柄テーブルの少なくとも一つは前記図柄選択カウンタのカウンタ値に対応した図柄を直接指定する値が配置され、その他の停止図柄テーブルは、指定された図柄列の値からの演算値が配置されていることにより、前記直接指定された停止図柄及び演算によって指定された停止図柄が前記図柄表示手段に表示されることを特徴とするパチンコ遊技機。
【請求項２】
前記図柄表示手段は、所定の演出表示を行いつつ図柄を変動表示及び停止表示させるものであるとともに、前記抽選ではずれた際に取得し得る演出選択カウンタを具備し、該演出選択カウンタによって選択される演出毎に対応する演出選択テーブルを備えたことを特徴とする請求項１記載のパチンコ遊技機。
【請求項３】
前記図柄列が横方向に並んだ３列に配置されて、前記停止図柄テーブルは、左図柄指定テーブル、中図柄演算テーブル及び右図柄演算テーブルから成るとともに、当該左図柄指定テーブルが直接停止図柄を指定し、中図柄演算テーブル及び右図柄演算テーブルが演算値を決定よるものとされたことを特徴とする請求項１又は請求項２記載のパチンコ遊技機。
【発明の詳細な説明】
【０００１】
【発明の属する技術分野】
本発明は、複数の図柄から成る複数の図柄列をそれぞれ変動表示及び停止表示させ得る図柄表示手段を備え、始動条件の成立時に大当たり状態の抽選を行うとともに、その抽選結果に基づいた図柄を図柄表示手段で停止表示させるパチンコ遊技機に関するものである。
【０００２】
【従来の技術】
通常、パチンコ遊技機の遊技盤に配設された液晶画面等から成る図柄表示手段は、横方向に並んだ３つの図柄列（左図柄、中図柄及び右図柄）を有し、これらの図柄列にはそれぞれ複数の図柄を有している。そして、遊技球が始動口に入賞すると、図柄表示手段の各図柄列が変動表示され、順次停止表示し、その３つの図柄が同じとなって揃った場合、所謂Ｖゾーンを有した大入賞口を所定タイミングで開閉させ、遊技者にとって有利な特別遊技状態、即ち大当たり状態とされる。
【０００３】
ここで、遊技球が入賞口に入賞したとき、遊技盤が有するメイン基板において、乱数を取得し、その取得した乱数がはずれであった場合は、３つの図柄が揃わないで停止表示し、当たりであった場合は、同一の図柄が揃って停止表示されるようになっている。このうち、従来のはずれ図柄の選択方法は、例えば左図柄、中図柄及び右図柄の図柄選択カウンタを０〜１１の範囲で割込毎又は割込待ちの無限ループの中で更新し、図柄の変動開始時に各図柄選択カウンタのカウンタ値を取得するとともに、それと対応する数値をそのまま停止表示させる図柄としていた（例えば、特許文献１にて開示されている）。
【０００４】
そのため、抽選時に乱数取得してはずれとされた場合であっても、取得したカウンタ値に応じた図柄が揃ってしまう可能性があり、その場合、中図柄のカウンタ値を１加算して修正するなどの制御を行い、３つの図柄が揃わないような補正を行っていた。即ち、図柄変動開始時に取得されるカウンタ値は、最初に取得された当たり又ははずれを決定する乱数とは別個独立しているものであるため、抽選ではずれが決定されていても所定確率で３つの図柄が揃ってしまう可能性があったので、補正をかけた後に各図柄を停止表示させていた。
【０００５】
【特許文献１】
特開２００１−２２４７７６号公報
【０００６】
【発明が解決しようとする課題】
しかしながら、上記従来のパチンコ遊技機においては、抽選ではずれが決定されていても取得したカウンタ値によって３つの図柄が揃ってしまう可能性があり、停止表示させる前に取得したカウンタ値に所定の補正をかける必要があった。
また、取得して決まったカウンタ値に対応してリーチ演出を決定していたため、演出に応じた自由なはずれ図柄の設定ができないという問題もあった。
【０００７】
本発明は、このような事情に鑑みてなされたもので、図柄の停止表示前の補正を不要とするとともに、演出に応じた自由なはずれ図柄の設定を行うことができるパチンコ遊技機を提供することにある。
【０００８】
【課題を解決するための手段】
請求項１記載の発明は、複数の図柄から成る複数の図柄列をそれぞれ変動表示及び停止表示させ得る図柄表示手段を備え、始動条件の成立時に大当たり状態の抽選を行うとともに、その抽選結果に基づいた図柄を前記図柄表示手段で停止表示させるパチンコ遊技機において、図柄毎に対応するカウンタ値を有した図柄選択カウンタと、前記抽選ではずれた際、図柄列毎において停止表示させるべき図柄を決定するための複数の停止図柄テーブルとを有し、当該停止図柄テーブルの少なくとも一つは前記図柄選択カウンタのカウンタ値に対応した図柄を直接指定する値が配置され、その他の停止図柄テーブルは、指定された図柄列の値からの演算値が配置されていることにより、前記直接指定された停止図柄及び演算によって指定された停止図柄が前記図柄表示手段に表示されることを特徴とする。
【０００９】
請求項２記載の発明は、請求項１記載のパチンコ遊技機において、前記図柄表示手段は、所定の演出表示を行いつつ図柄を変動表示及び停止表示させるものであるとともに、前記抽選ではずれた際に取得し得る演出選択カウンタを具備し、該演出選択カウンタによって選択される演出毎に対応する演出選択テーブルを備えたことを特徴とする。
【００１０】
請求項３記載の発明は、請求項１又は請求項２記載のパチンコ遊技機において、前記図柄列が横方向に並んだ３列に配置されて、前記停止図柄テーブルは、左図柄指定テーブル、中図柄演算テーブル及び右図柄演算テーブルから成るとともに、当該左図柄指定テーブルが直接停止図柄を指定し、中図柄演算テーブル及び右図柄演算テーブルが演算値を決定よるものとされたことを特徴とする。
【００１１】
【発明の実施の形態】
以下、本発明の実施形態について図面を参照しながら具体的に説明する。
本実施形態に係るパチンコ遊技機は、３列の図柄を変動表示又は停止表示させ得る図柄表示手段を具備し、始動条件の成立により当該図柄が変動表示されるとともに、所定時間経過後に停止表示され、その停止表示された図柄が同一で揃った場合、大当たり状態として遊技者にとって有利な特別遊技状態が発生するものである。
【００１２】
具体的には、図１に示すように、本パチンコ遊技機は、ガラス板２が取り付けられた前面枠３を有しており、該ガラス板２から遊技者が遊技盤４を目視し得るように構成されている。この遊技盤４の遊技領域には、始動口６や大入賞口７の他、種々役物から成る図柄表示手段５が配設されている。かかる図柄表示手段５は、その画面に図柄や背景、及び演出のための各種キャラクタ等を表示し得るものであり、始動条件が成立（始動口６に遊技球が入賞）したときに、３つの図柄を所定時間変動表示させ、これら図柄が３つ同じとなって揃った状態で停止表示されることにより「大当たり」状態を発生させ得るよう構成されている。
【００１３】
例えば、図３に示すように、図柄制御手段５を横方向に３列に並べて配置された左図柄５ａ、中図柄５ｂ及び右図柄５ｃが表示されるようになっており、それぞれの図柄は、図４に示すように、カウンタ値（０〜１１）と対応した図柄列の一つを成している。尚、かかる図柄に対応するカウンタ値を有した図柄選択カウンタは、後述するメイン基板１１に予め記憶されたものである。
【００１４】
「大当たり」状態が発生すると、所謂Ｖゾーンを有する大入賞口７が所定時間及びタイミングで開閉し、遊技者が多数の遊技球を獲得できるといった遊技者にとって有利な特別遊技状態が発生する。尚、「大当たり」中においては、前面枠３や遊技盤４等に取り付けられた各種ランプやフラッシュ等が点滅又は点灯するとともに、図柄表示手段５の画面上においてキャラクタ等による所定の演出が行われるようになっている。
【００１５】
また更に、パチンコ遊技機１の下部右隅にはハンドル８が配設されており、該ハンドル８の回動操作により上皿９内の遊技球を遊技盤４の遊技領域に連続的に打ち出し得るよう構成されている。尚、同図中における符号１０は、下皿を示しており、該下皿１０の近傍にはスピーカが配設されて演出のための効果音等が発せられるようになっている。
【００１６】
パチンコ遊技機１の内部には、図２に示すように、それぞれＣＰＵやＲＯＭ及びＲＡＭ等を具備したメイン基板１１、図柄制御基板１２、ランプ制御基板１３及び音声制御基板１４が配設されている。これら基板は、それぞれ透明樹脂から成るケース（不図示）内に収容されつつ所定の基板や素子と電気的に接続されている。尚、図柄表示手段５は、図柄制御基板１２のＣＰＵとＩ／Ｏを介して接続されている。
【００１７】
このうちメイン基板１１は、パチンコ遊技機１全般に亘る遊技内容を制御するためのもので、遊技球が始動口６に入賞して始動条件が成立した時に乱数を取得して大当たりかはずれかの抽選を行うものである。また、かかるメイン基板１１には、図柄毎に対応するカウンタ値を有した図柄選択カウンタ（図４参照）と、複数の演出選択テーブル（図５参照）と、複数の停止図柄テーブル（図６参照）とが予め記憶されている。
【００１８】
図４で示す図柄選択カウンタは、既述のように図柄毎に対応するカウンタ値を有したものであり、例えばカウンタ値が０のときは、左図柄５ａ、中図柄５ｂ及び右図柄５ｃが漢数字の「一」を、カウンタ値が１のときは、各図柄５ａ〜５ｃが漢数字の「二」を、とカウンタ値が８まで順に所定の漢数字と対応し、カウンタ値が９、１０及び１１のとき、各図柄５ａ〜５ｃが漢字の「仕」「事」「人」とそれぞれ対応している。
【００１９】
図５で示す複数の演出選択テーブルは、始動条件の成立時に行われる大当たり状態の抽選ではずれたときに取得し得る演出選択カウンタ（不図示）のカウンタ値によって、はずれ通常変動、ノーマルリーチ、ＳリーチＡ、ＳリーチＢ、特定図柄リーチ、仕事人リーチのいずれの演出とすべきか選択するためのテーブルである。即ち、図柄表示手段５にて行われるはずれの際の演出表示の種類が演出選択カウンタにて選択されるとともに、その演出選択カウンタに対応した演出選択テーブルによって以下に説明する停止図柄テーブルが選択されるのである。
【００２０】
図６で示す複数の停止図柄テーブルは、大当たり状態の抽選ではずれた際、図柄列毎において停止表示させるべき図柄を決定するためのもので、停止表示させる左図柄５ａを指定する左図柄指定テーブル（同図上段のＮ１、Ｔ１及びＳ１の３つ）、停止表示させる中図柄５ｂを決定する中図柄演算テーブル（同図中段のＮ１、Ｒ１、Ｒ２、Ｓ１の４つ）、及び停止表示させる右図柄５ｃを決定する右図柄演算テーブル（同図下段のＮ１、Ｒ１、Ｓ１の３つ）から成る。
【００２１】
このうち左図柄指定テーブルは、図柄選択カウンタのカウンタ値に対応した図柄を直接指定する値（同図で示すテーブルの右側列の値）が配置される一方、中図柄演算テーブル及び右図柄演算テーブルは、左図柄指定テーブルにて指定された図柄列の値から減算すべき値（同図で示すテーブルの右側列の値）が配置されている。即ち、上述した演出選択テーブルにて左図柄指定テーブル、中図柄演算テーブル、及び右図柄演算テーブルが選択され、このうち左図柄指定テーブルでは図柄選択カウンタのカウンタ値（図４参照）に対応した図柄が直接指定され、この直接指定された図柄のカウンタ値から減算した値の図柄が残りの停止図柄とされるのである。
【００２２】
次に、上記構成のパチンコ遊技機におけるメイン基板１１の制御について説明する。まず、図７で示すように、遊技球が始動口６に入賞すると（Ｓ１）、変動記憶個数が１加算され（Ｓ２）、大当たりを抽選するための乱数を取得する（Ｓ３）。そして、そのときの遊技状態が高確率状態であるか否かを判別し（Ｓ４）、高確率である場合は高確率による大当たり判定が行われる（Ｓ５）一方、高確率でない場合（即ち、低確率である場合）は通常の確率（低確率）による大当たり判定が行われる（Ｓ６）。
【００２３】
Ｓ５又はＳ６にて大当たりと判定された場合は、大当たり図柄が選択（Ｓ８）された後、その大当たり時の演出が選択される（Ｓ９）。そして図柄表示手段５による図柄の変動表示が選択された演出とともに開始され（Ｓ１０）、所定時間経過した後、図柄変動が停止して各図柄５ａ〜５ｃが停止表示される（Ｓ１１）。これにより、大入賞口７の開閉動作や各種ランプ類の点滅又は点灯が行われて大当たり動作が開始される（Ｓ１２）。
【００２４】
その後、大当たりの際の停止図柄が所定の高確率図柄（例えば奇数の数字等）であるか否かが判別され（Ｓ１７）、高確率図柄である場合は次の大当たり判定時に大当たりとなり易い高確率がセットされ（Ｓ１８）、高確率図柄でない場合（低確率図柄である場合）はＳ１に戻る。
【００２５】
一方、Ｓ７において、大当たりでない（即ち、はずれ）であると判定されると、はずれ図柄の変動演出選択Ｓ１３が行われる。かかるＳ１３においては、図８に示すように、まずリーチ発生乱数（例えば０〜２２から成る乱数）が取得され（Ｓ１９）、その乱数が所定の値（例えば３或いは７）であるか否かが判定される（Ｓ２０）。
【００２６】
そして、所定の値でない場合は、はずれ通常変動選択テーブル（図５の最上段参照）がセットされ（Ｓ２３）、所定の値である場合は、Ｓ２１へ進み、リーチカウンタ（不図示）によるリーチカウンタ値（例えば０〜１００から成る値）が取得される。その取得したカウンタ値に応じてリーチの際の演出の種類（例えば、取得カウンタ値が０〜３０の場合はノーマルリーチ、３１〜４０の場合はＳリーチＡ、４１〜５０の場合はＳリーチＢ、９１〜９９の場合は特定図柄リーチ又は１００の場合は仕事人リーチ等）が決定される。
【００２７】
その後、各演出に対応した停止図柄の選択が行われる（Ｓ１４）。具体的には、図９に示すように、例えば０〜１１の数値から成る左図柄カウンタ、中図柄カウンタ及び右図柄カウンタのカウンタ値が取得され（Ｓ２４）、Ｓ１３にて選択された演出の種類に応じた停止図柄テーブルがセットされる。即ち、はずれ通常変動の場合（Ｓ２５）は、はずれ通常変動選択テーブルで選択された停止図柄テーブルがセットされる（Ｓ３０）とともに、Ｓ２６にてノーマルリーチと判断された場合はノーマルリーチ選択テーブルで選択された停止図柄テーブルのセット（Ｓ３１）、Ｓ２７にてＳリーチＡと判断された場合はＳリーチＡ選択テーブルで選択された停止図柄テーブルのセット（Ｓ３２）、Ｓ２８にてＳリーチＢと判断された場合はＳリーチＢ選択テーブルで選択された停止図柄テーブルのセット（Ｓ３３）、Ｓ２９にて特定図柄リーチと判断された場合は特定図柄リーチ選択テーブルで選択された停止図柄テーブルのセット（Ｓ３４）、及び同Ｓ２９にて特定図柄リーチでない（即ち、上記いずれの演出ではない）と判断された場合は、仕事人リーチ選択テーブルで選択された停止図柄テーブルのセット（Ｓ３５）が行われる。
【００２８】
即ち、図５で示したように、演出選択テーブルにおいて各演出に応じた停止図柄テーブル（図６に示す左図柄指定テーブルの一つ、中図柄演算テーブルの一つ及び右図柄演算テーブルの一つ）が選択される。例えば、はずれ通常変動選択テーブルがセットされた場合、左図柄指定テーブルＮ１、中図柄演算テーブルＮ２、及び右図柄演算テーブルＮ３が選択され、各テーブルにおいてＳ２４にて取得されたカウンタ値に対応した値（指定図柄の値や減算値）が参照される。
【００２９】
例えば、左図柄指定テーブルＮ１が選択され、且つ、Ｓ２４にて取得された左図柄カウンタ値が１の場合、指定図柄の数値が１であるため、その値と対応した図柄が図４で示した図柄選択カウンタにて直接決定される。即ち、左図柄５ａは、カウンタ値１に対応する図柄である漢数字の「二」が停止表示されることとなる。このように左図柄カウンタ値に基づき各テーブル（他のリーチの際のテーブルを含む）から左図柄が直接指定されることとなる（Ｓ３６）。
【００３０】
その後、Ｓ２４にて取得された中図柄カウンタ値に基づき中図柄演算テーブルから減算値（演算値）が取得される（Ｓ３７）。例えば、ノーマルリーチがセットされた状態にて取得された中図柄カウンタ値が１の場合、選択される中図柄演算テーブルはＲ１であるため、減算値は１とされる（図６の中図柄演算テーブルＲ１参照）。よって、この場合は左図柄演算テーブルの値（図４に示すカウンタ値）から１減算した値（同）に対応する図柄が指定されることとなる。
【００３１】
同様に、Ｓ２４にて取得された右図柄カウンタ値に基づき右図柄演算テーブルから減算値（演算値）が取得される（Ｓ３８）。例えば、ＳリーチＡがセットされた状態にて取得された右図柄カウンタ値が５の場合、選択される右図柄演算テーブルはＲ１であるため、減算値は０（即ち、右図柄と同一）であるとされる。
尚、Ｓ３７又はＳ３８にて減算した後の値がマイナス（負の数値）となった場合、その負の数値に１２を加算（カウンタ値の数分だけ加算）し、加算した後の値を演算値とする。
【００３２】
こうして決定された停止図柄に基づき、図柄表示手段５にて各図柄列を変動表示させ（Ｓ１５）、所定時間経過後（演出がある場合はその演出も同時に行った後）、図柄列を順次停止させて３つの図柄全てを指定された通りに停止表示させ（Ｓ１６）、Ｓ１へ戻る。以上で、一連のメイン基板１１による主な制御が終了する。
【００３３】
本実施形態によれば、演出選択テーブルにて停止図柄テーブルが選択されるとともに、当該停止図柄テーブルのうち左図柄指定テーブルで左図柄を指定しつつ他の図柄（中図柄及び右図柄）は減算による演算値にて指定され、それら指定に基づいた図柄の停止表示が行われるため、図柄の停止表示前の補正を不要とするとともに、演出に応じた自由なはずれ図柄の設定を行うことができる。
【００３４】
即ち、停止図柄テーブル（左図柄指定テーブル、中図柄演算テーブル及び右図柄演算テーブル）の指定図柄や減算値を任意に設定することができるので、はずれ図柄を決定した後に、それに対応したリーチ演出をするものと比べ、演出毎の停止図柄の特徴などを任意に細かく設定することができ、遊技性を向上させることができるのである。また、停止図柄テーブルの値を変更するだけで、停止図柄を自由に組み替えることができるので、新しいリーチ演出を設定した場合、そのリーチ演出に対応した停止図柄を簡単に設定することができる。
【００３５】
以上、本実施形態について説明したが、本発明はこれに限定されるものではなく、例えば演出選択テーブルを介さずに停止図柄テーブルによる各図柄の指定を行うようにしてもよい。即ち、停止図柄テーブル（左図柄指定テーブル、中図柄演算テーブル及び右図柄演算テーブル）を他の方法にて選択し、それに基づいて停止図柄を決定するようにしてもよい。
【００３６】
また、本実施形態における中図柄演算テーブル及び右図柄演算テーブルは、左図柄指定テーブルで指定された図柄列の値（図柄選択カウンタのカウンタ値）から減算すべき値を決定しているが、他の演算値（例えば加算値）としてもよい。
さらに、本実施形態における図柄表示手段５は、横方向に並んだ３つの図柄列を表示し得るものとされているが、他の複数の数の図柄列（縦方向或いは斜め方向であってもよい）を表示し得るものとし、少なくともそのうちの一つが図柄を直接指定され、他の図柄が演算（減算や加算等）により指定するものとしてもよい。
【００３７】
【発明の効果】
本発明によれば、停止図柄テーブルの少なくとも一つは図柄選択カウンタのカウンタ値に対応した図柄を直接指定する値が配置され、その他の停止図柄テーブルは、指定された図柄列の値からの演算値が配置されていることにより、直接指定された停止図柄及び演算によって指定された停止図柄が図柄表示手段に表示されるので、図柄の停止表示前の補正を不要とするとともに、演出に応じた自由なはずれ図柄の設定を行うことができる。
【図面の簡単な説明】
【図１】本発明の実施形態に係るパチンコ遊技機を示す全体模式図
【図２】同パチンコ遊技機を制御するための各基板を示すブロック図
【図３】同パチンコ遊技機における図柄表示手段を示す模式図
【図４】同パチンコ遊技機におけるメイン基板に記憶された図柄選択カウンタを示す図
【図５】同パチンコ遊技機におけるメイン基板に記憶された演出選択テーブルを示す図
【図６】同パチンコ遊技機におけるメイン基板に記憶された複数の停止図柄テーブル（左図柄指定テーブル、中図柄演算テーブル及び右図柄演算テーブル）を示す図
【図７】本発明の実施形態に係るパチンコ遊技機におけるメイン基板の制御を示すフローチャート
【図８】図７におけるはずれ図柄演出選択の際の制御を示すフローチャート
【図９】図７における停止図柄選択の際の制御を示すフローチャート
【符号の説明】
１…パチンコ遊技機
２…ガラス板
３…前面枠
４…遊技盤
５…図柄表示手段
６…始動口
７…大入賞口
８…ハンドル
９…上皿
１０…下皿
１１…メイン基板
１２…図柄制御基板
１３…ランプ制御基板
１４…音声制御基板
【図１】
2005000264.tif 000003
【図２】
2005000264.tif 000004
【図３】
2005000264.tif 000005
【図４】
2005000264.tif 000006
【図５】
2005000264.tif 000007
【図６】
2005000264.tif 000008
【図７】
2005000264.tif 000009
【図８】
2005000264.tif 000010
【図９】
2005000264.tif 000011